(57)【要約】ケーブル結束工具（２０）は、工具ハンドル（２４）への接続部（５８）によって工具ハンドル内に支持される可変トリガー・リンク機構（５４）を有する。このトリガー・リンク機構（５４）はレバー（３８、３９）に連結され、かつ、トリガー・リンク機構（５４）を開位置から閉位置に移動させることが、二者択一的にその近または遠位置のところにあるレバー（３８、３９）をして、トリガー・リンク機構（５４）を開位置から閉位置に移動させるためにそれに一定の力が加えられるとき、遠（４８）位置での係合が結果として、レバー（３８、３９）によって工具ヘッド（３５）に加えられる力が近（４６）位置での係合に由来するレバー（３８、３９）によって工具ヘッド（３５）に加えられる力より大きくなるように、トリガー・リンク機構（５４）をレバー（３８、３９）に連結させるように、開位置と閉位置の間を移動可能である。
2007529321.tif 000002
【特許請求の範囲】
【請求項１】
バレル構造体を有する工具ハンドルと、
ケーブル結束材に張力を掛けるためにケーブル結束材を固定することができる前方端部を有する、前記バレル構造体内に支持される工具ヘッドと、
前記工具ハンドルに対する枢動接続部によって工具ハンドル内に支持される細長いレバーであって、前記レバーは、前記枢動接続部から対応する長手方向に減少するおよび増加する距離間隔を有する近および遠位置をその上に有し、前記レバーは、前記工具ヘッドに連結され、ケーブル結束材が前記工具ヘッドに固定されるとき、前記レバーを中立位置から張力付加位置に枢動させることが、前記レバーによって前記工具ヘッドに加えられる力に比例して前記ケーブル結束材の張力を増加させるように前記レバーを前記工具ヘッドに力を加えるようにさせるように、前記中立位置と前記張力付加位置の間を枢動可能なレバーと、
前記工具ハンドルへの接続部によって前記工具ハンドル内に支持される可変トリガー・リンク機構であって、前記トリガー・リンク機構は前記レバーに連結され、かつ前記トリガー・リンク機構を前記開位置から閉位置に移動させることが前記レバーを前記中立位置から張力付加位置に枢動させるように前記開位置と閉位置の間を移動可能であり、前記近または遠位置で二者択一的に前記レバーと係合する前記トリガー・リンク機構は、前記トリガー・リンク機構を前記開位置から閉位置に移動させるためにそれに一定の力が加えられるとき、前記遠位置での前記係合が結果として、前記レバーによって前記工具ヘッドに加えられる前記力が、前記近位置での前記係合に由来する前記レバーによって前記工具ヘッドに加えられる前記力より大きくなるように、前記レバーとの前記連結をもたらすトリガー・リンク機構とを備える、ケーブル結束工具。
【請求項２】
前記トリガー・リンク機構が、前記近位置で前記レバーと係合するための前記トリガー・フレーム内に支持される駆動ばねをさらに備え、
前記トリガー・リンク機構とレバーの間の前記連結部が、前記トリガー・リンク機構を前記開位置と閉位置の間を移動させるためにそれに加えられる力が特定の大きさより低いとき、前記駆動ばねとレバーの間の前記係合によってもたらされ、
前記トリガー・リンク機構とレバーの間の前記連結部が、前記トリガー・リンク機構を前記開位置と閉位置の間を移動させるためにそれに加えられる力が特定の大きさより大きいとき、前記トリガー・フレームとレバーの間の前記係合によってもたらされる、
前記可変トリガー・リンク機構が前記工具ハンドルに接続されるトリガー・フレームを備え、前記トリガー・フレームが前記遠位置で前記レバーに係合する、請求項１に記載のケーブル結束工具。
【請求項３】
前記トリガー・フレームが枢動可能接続部によって前記工具ハンドルに接続される、請求項２に記載のケーブル結束工具。
【請求項４】
前記可変トリガー・リンク機構が前記近位置で前記レバーに接続され、かつ選択的に前記トリガー・フレームに接続されるプッシュ・ロッドをさらに備え、前記プッシュ・ロッドが前記駆動ばねと同軸の関係でその中に格納され、前記プッシュ・ロッドの前記トリガー・フレームとの接続が前記トリガー・リンク機構とレバーの間の前記遠位置での前記係合を防止し、前記プッシュ・ロッドの前記トリガー・フレームとの接続が、前記トリガー・フレームの前記開位置から閉位置への移動から前記レバーによって前記工具ヘッドに加えられる前記力が、前記トリガー・フレームに加えられる一定の力に対して一定であることをもたらす、
前記駆動ばねが螺旋ばねを備える、請求項２に記載のケーブル結束工具。
【請求項５】
係合と係脱位置の間を前記プッシュ・ロッドに対して相対的に移動させるために前記トリガー・フレームに接続される移動構造体をさらに備え、前記移動構造体が前記係合位置にあるとき、前記トリガー・フレームとプッシュ・ロッドの間の前記接続をもたらすように前記移動構造体が前記プッシュ・ロッドに接続され、前記移動構造体が前記係脱位置にあるとき、前記トリガー・リンク機構が前記レバーと前記近または遠位置で二者択一的に係合することを前記移動構造体が妨げない、請求項４に記載のケーブル結束工具。
【請求項６】
前記トリガー・フレームおよび駆動ばねが前記バレル構造体の下方に配置され、
前記トリガー・リンク機構およびグリップ構造体が手によって握られるとき、前記トリガー・ハウジングが手の１つまたは複数の指によって握られる外側表面を有するように、前記可変トリガー・リンク機構が前記工具ハンドルに接続されるトリガー・ハウジングをさらに備え、前記トリガー・ハウジングの前記外側表面およびグリップ構造体が握り寸法を画成する距離だけ離れており、前記トリガー・ハウジングが前記握り寸法を変更するために前記トリガー・フレームに対して相対的に前方および後方方向に移動可能であり、
前記可変トリガー・リンク機構が前記トリガー・フレームおよびトリガー・ハウジングに接続される手寸法調整機構をさらに備え、前記調整機構は前記握り寸法を変更するための前記トリガー・ハウジングの前記移動をもたらし、前記調整機構が前記駆動ばねの下方に配置される、
前記工具ハンドルが前記バレル構造体に従属するグリップ構造体を備え、前記グリップ構造体が使用者の手の掌によって握られる外側表面を有する、請求項２に記載のケーブル結束工具。
【請求項７】
前記可変トリガー・リンク機構が前記近位置で前記レバーに接続され、かつ選択的に前記トリガー・フレームに接続されるプッシュ・ロッドをさらに備え、前記プッシュ・ロッドの前記トリガー・フレームへの前記接続が前記トリガー・リンク機構とレバーの間の前記遠位置での前記係合を防止し、前記プッシュ・ロッドの前記トリガー・フレームへの前記接続が、前記トリガー・フレームの前記開位置から閉位置への移動から前記レバーによって前記工具ヘッドに加えられる前記力が、前記トリガー・フレームに加えられる一定の力に対して一定であることをもたらす、
前記可変トリガー・リンク機構が前記工具ハンドルに接続されるトリガー・フレームを備え、前記トリガー・フレームが前記トリガー・リンク機構とレバーの間の前記連結をもたらすように前記レバーに連結される、請求項１に記載のケーブル結束工具。
【請求項８】
係合と係脱位置の間を前記プッシュ・ロッドに対して相対的に移動させるための、前記トリガー・フレームに接続される移動構造体をさらに備え、前記移動構造体が前記係合位置にあるとき、前記トリガー・フレームとプッシュ・ロッドの間の前記接続をもたらすように前記移動構造体が前記プッシュ・ロッドに接続され、前記移動構造体が前記係脱位置にあるとき、前記トリガー・リンク機構が前記レバーと前記近または遠位置で二者択一的に係合することを前記移動構造体が妨げない、請求項７に記載のケーブル結束工具。
【請求項９】
前記可変トリガー・リンク機構が前記工具ハンドルに接続されるトリガー・フレームを備え、前記トリガー・フレームが前記トリガー・リンク機構とレバーの間の前記連結をもたらすように前記レバーに連結され、
前記トリガー・リンク機構およびグリップ構造体が手によって握られるとき、前記トリガー・ハウジングが手の１つまたは複数の指によって握られる外側表面を有するように、前記可変トリガー・リンク機構が前記工具ハンドルに接続されるトリガー・ハウジングをさらに備え、前記トリガー・ハウジングの前記外側表面およびグリップ構造体が握り寸法を画成する距離だけ離れており、前記トリガー・ハウジングが前記握り寸法を変更するために前記トリガー・フレームに対して相対的に前方および後方方向に移動可能であり、
前記可変トリガー・リンク機構が前記トリガー・フレームおよびトリガー・ハウジングに接続される手寸法調整機構をさらに備え、前記調整機構は前記握り寸法を変更するための前記トリガー・ハウジングの前記移動をもたらす、
前記工具ハンドルが前記バレル構造体に従属するグリップ構造体を備え、前記グリップ構造体が使用者の手の掌によって握られる外側表面を有する、請求項１に記載のケーブル結束工具。
【請求項１０】
前記トリガー・フレームが前記トリガー・ハウジング内に配置される、請求項９に記載のケーブル結束工具。
【請求項１１】
前記手寸法調整機構が、調整ホイールが前記前方および後方方向に変位するとき、前記トリガー・ハウジングが前記調整ホイールに従うように、前記トリガー・ハウジングによって支持される前記調整ホイールをさらに備え、調整ロッドが前記調整ホイールを貫通して延び、調整ホイールの回転が前記調整ロッドに対する相対的な調整ホイールの前方および後方方向の移動を生じさせ、それが前記握り寸法の前記変更のための前記トリガー・ハウジングの前記トリガー・フレームに対する相対的な対応する前方および後方方向移動を生じさせるように、前記調整ホイールが前記トリガー・フレームに対して配置され、
前記手寸法調整機構は、前記調整ロッドが前方−後方の向きを有するように前記トリガー・フレームに接続される前記調整ロッドを備え、前記調整ロッドとトリガー・フレームの間の前記接続が、前記調整ロッドが前記トリガー・フレームに対して相対的に前方または後方方向に固定されることをもたらす、請求項９に記載のケーブル結束工具。
【請求項１２】
前記調整ホイールが前記トリガー・ハウジング内に配置され、前記トリガー・ハウジングが、それを介して前記調整ホイールの手による直接接触によって調整ホイールを回転させるための前記調整ホイールの外側表面へのアクセスが可能になる切欠き部を有する、請求項１１に記載のケーブル結束工具。
【請求項１３】
前記トリガー・ハウジングが下側表面および前記下側表面に隣接する対向する側表面を有し、前記調整ホイールが下側および側表面に隣接し、前記調整ホイールの前記外側表面の底部および側部部分へのアクセスが前記切欠き部を介してもたらされるように、前記切欠き部が前記下側および側表面を貫通して連続的に延びる、請求項１２に記載のケーブル結束工具。
【発明の詳細な説明】
【技術分野】
【０００１】
〔関連出願の相互参照〕
この特許出願は、米国特許商標庁（ＵＳＰＴＯ）に２００４年３月１９日出願の米国特許仮出願第６０／５５４４１２号明細書、および２００４年３月１９日出願のスエーデン国特許出願第０４００７０６−８号明細書の優先権および利益を主張し、ここにそれら全ての完全な開示を本明細書中に参考として援用する。
【０００２】
本発明は一般に可変トリガー・リンク機構を有するケーブル結束工具に関し、より詳しくは、ケーブル結束工具の工具ヘッドに異なる張力付加力を供給可能なそのようなトリガー・リンク機構に関する。
【背景技術】
【０００３】
ケーブル結束材は、電線またはケーブルなどの一群の物品を束ね、または固定するために使用される。従来構造のケーブル結束器は、ケーブル結束器ヘッドおよびそこから延びる細長いストラップを含む。このストラップは、物品の束の周りに巻き付けられ、その後通路を通りヘッドに挿入される。ケーブル結束器のヘッドは通常、ストラップがヘッドの通路を通り挿入されるのを許すが通路を通るストラップの後退を防止する、ヘッド通路内に延びる固定要素を支持する。ストラップの２つの長手方向に分離される部分がそれによってヘッドに固定され、物品群を一緒に保持することができるループを画成する。
【０００４】
使用する際は、取り付け者は束ねるべき物品の周りに結束材を手動で配置し、ヘッド通路を通してストラップを挿入し、次いで手動で結束材を束の周りに締め付ける。そのストラップの張力を増加させるケーブル結束材のさらなる締め付けは、ケーブル結束工具によって行われる場合がある。
【０００５】
そのようなケーブル結束工具の１つの型式は、全体的にピストル形状のハンドルを含み、ストラップに張力を加えるためにストラップをその中に挿入することができるバレルを有する。このハンドルはバレルに従属するグリップを有する。この工具は、その１部分がバレルの下かつグリップの前に配置されるトリガー・ハウジング内に支持されるトリガー機構を含む。トリガー・ハウジングは細長く、使用者の手の指が前方に向かって延びるように使用者の手の後端がグリップに接して置かれるとき、その指がトリガー・ハウジングの前方表面を取り囲むことができるように、一般にバレルに対して相対的に決まる関係にある。トリガー・ハウジングおよびグリップを握り締めることによってなど、強制的に指を手の後端に向かって引くによって、トリガー・ハウジングはグリップに向かって変位する。このトリガー機構はバレル内でも支持され、ストラップを掴み、それにトリガー・ハウジングに加えられる引くまたは握り締める力に比例して張力を加えることができる。
【０００６】
〔発明が解決すべき課題〕
ケーブル結束材に加えられる張力のトリガー・ハウジングに加えられる引くまたは握り締める力に対する比率はしばしば一定であり、トリガー機構によって決まる。結果として、増加する張力がケーブル結束材に加えられるべき場合は、対応してトリガー・ハウジングに加えられるべきより大きな引くまたは握り締める力が必要になる。
【０００７】
前の張力に曝された後は、特にそのような前の張力がかなりのものである場合は、ケーブル結束材はさらなる張力付加に通常抵抗するので、ケーブル結束材に張力を掛けるとき、ケーブル結束材に対するより大きな張力の付加がしばしば必要になる。これによって、使用者の手によって通常行われるトリガー・ハウジングに対する増大する引くまたは握り締める力の付加がしばしば必要になる。必要とされる引くまたは握り締める力が十分に大きくなる場合は、使用者の手がそのような力を供給するのに困難に遭遇する可能性がある。
【特許文献１】米国特許第５９１５４２５号
【特許文献２】米国特許出願第１１／０５６０７８号
【特許文献３】米国特許出願第１１／０５５９２９号
【発明の開示】
【課題を解決するための手段】
【０００８】
本発明のケーブル結束工具は、バレル構造体を有する工具ハンドルおよびバレル構造体内に支持される工具ヘッドを含む。この工具ヘッドは、ケーブル結束材に張力を掛けるためにケーブル結束材を固定することができる前方端部を有する。
【０００９】
細長いレバーが、前記工具ハンドルに対する枢動的接続部によって工具ハンドル内に支持される。このレバーは枢動接続部から対応する長手方向に減少する、および増加する距離間隔を有する近および遠位置をその上に有する。このレバーは工具ヘッドに連結され、ケーブル結束材が工具ヘッドに固定されるとき、レバーを中立位置から張力付加位置に枢動させることが、レバーによって工具ヘッドに加えられる力に比例してケーブル結束材の張力を増加させるように工具ヘッドに力を加えるように、中立位置と張力付加位置の間を枢動可能である。
【００１０】
ケーブル結束工具は、工具ハンドルに対する接続部によって工具ハンドル内に支持される可変トリガー・リンク機構を含む。このトリガー・リンク機構はレバーに連結され、かつトリガー・リンク機構を開位置から閉位置に移動させることがレバーを中立位置から張力付加位置に枢動させるように開位置と閉位置の間を移動可能である。トリガー・リンク機構は、トリガー・リンク機構を開位置から閉位置に移動させるためにトリガー・リンク機構に一定の力が加えられるとき、遠位置での係合が結果としてレバーによって工具ヘッドに加えられる力が近位置での係合に由来するレバーによって工具ヘッドに加えられる力より大きくなるようにレバーとの連結をもたらすように、レバーと近または遠位置で二者択一的に係合する。
【００１１】
この可変トリガー・リンク機構は、トリガー・リンク機構がレバーとその近または遠位置のところで係合するかどうかに応じて、レバーによって工具ヘッドに２つの異なる力を加えることを可能にする。工具ヘッドによって加えられる張力がレバーによってそれに加えられる力に関連するので、トリガー・リンク機構によって工具ヘッドに加えられる力に応じて、異なる張力が工具ヘッドによってケーブル結束材に加えられる。
【００１２】
トリガー・リンク機構によってケーブル結束材に異なる張力を付加することは、ケーブル結束材が漸次張力付加されるとき、より大きな張力の付加をもたらす。これは、ケーブル結束材の漸次張力付加は、それに対するより高い張力付加をしばしば必要とするので有利である。この可変トリガー・リンク機構は、使用者によるトリガー・リンク機構に対する一定の引きまたは締め付け力の付加からそのようなより高い張力付加をもたらす。結果として、使用者の手による増大する引きまたは締め付け力が、トリガー・リンク機構が工具ヘッド、したがって、ケーブル結束材に増大する力を加えるために必要とされない。使用者、より具体的にはその手が、それによってトリガー・リンク機構およびグリップに増大する大きな引きまたは締め付け力を加えなければならないことに関連する困難性から解放される。
【００１３】
本発明のこれらのおよび他の特徴は、添付の図面と共に行う本発明の個々の実施形態の以下の説明からより完全に理解されるであろう。
【発明を実施するための最良の形態】
【００１４】
対応する参照記号は図面のいくつかの図を通して対応する部品を示す。
図面を、より具体的には図１、２、および７を参照すると、ワイヤーまたはケーブルなどの物品の束にケーブル結束材２２を固定するためのケーブル結束工具２０が示されている。ケーブル結束工具２０は、ピストル形状を有する工具ハンドル２４を含む。工具ハンドル２４は、バレル構造体２６およびバレル構造体に従属するグリップ構造体２８を含む。グリップ構造体２８は、工具ハンドル２４が使用者によって握られるとき使用者の手の掌によって握られる外側表面３０を有する。バレル構造体２６は細長い空洞３０およびそれに対するアクセスをもたらす開いた前方端部３１を有する。工具ハンドル２４は、ピン３４によって一緒に保持される左および右区画３２、３３を有する。
【００１５】
本明細書で使用されるとき、「後方方向」は、例えば、前方端部３１からグリップ構造体２８に向かう方向を示す。「前方方向」は、後方方向と反対側の方向を示す。「左」および「右」は、前方方向に向いた１つの側の側面を示す。
【００１６】
ケーブル結束工具２０は、バレル構造体２６の空洞３０内に支持される工具ヘッド３５を含む。工具ヘッド３５は、ケーブル結束材２２がその張力付加のために固定される前方端部３６を有する。工具ヘッド３５の例は、１９９９年６月２９日に発行された米国特許第５９１５４２５号明細書（特許文献１）、ＵＳＰＴＯに２００５年２月１１日に出願された米国特許出願第１１／０５６０７８号明細書（特許文献２）、および２００５年２月１１日に出願された米国特許出願第１１／０５５９２９号明細書（特許文献３）に開示され、ここにそれら全ての完全な開示を本明細書中に参考として援用する
【００１７】
ケーブル結束工具２０は、グリップ構造体２８の内部表面上に支持されるレバー・ピン４０によって工具ハンドル２４内でそれらのおのおのが支持される細長い左および右側レバー３８、３９を含む。このレバー・ピン４０は、レバー３８、３９とグリップ構造体２８の間でレバーを中立および張力付加位置４２、４４の間に枢動させるための枢動可能な接続をもたらす。
【００１８】
レバー３８、３９はレバーに、ケーブル結束材２２が工具ヘッド３５に固定されるとき、レバー３８、３９を中立位置から張力付加位置４２、４４に枢動させると、レバーによって工具ヘッドに加えられる力に比例してケーブル結束材の張力を増加させるように工具ヘッドに力を加えるようにさせる。レバー３８、３９おのおのはその上に近および遠位置４６、４８を有し、それらはレバー・ピン４０からそれぞれの長手方向に減少するおよび増加する距離間隔５０、５２を有する。
【００１９】
ケーブル結束工具２０は、その上側部分が工具ハンドル２４内で支持され、トリガー・ピン５８によってそれに枢動可能に接続されるトリガー・フレーム５６を有するトリガー・リンク機構５４を含む。トリガー・ピン５８は、工具ハンドル２４の内側領域を横切って横方向に延び、グリップ構造体２８の内側表面に接続される。
【００２０】
トリガー・フレーム５６は、図３、４、および５に示すように、ウエブ構造体６０と左および右側フランジ構造体６２、６４を含む。ウエブ構造体６０は、長方形の開口部６５を有する。図４に示すように、フランジ構造体６２はウエブ構造体６０から上側および下側に広がる。このウエブおよびフランジ構造体６０、６２、６４は、一体的な、単一の構造体とし単一の板６６から形成することもでき、その一例を図６に示す。この板６６はトリガー・フレーム５６を形成するように曲げられる。トリガー・フレーム５６は、ウエブ構造体６０がフランジ構造体６２、６４の前に向くように、グリップ構造体２８に対して向きを合わせられている。フランジ構造体６２、６４の上端部は、トリガー・フレーム５６の枢動が工具ハンドル２４に対して前方および後方方向に可能であるように、トリガー・ピン５８から吊るされている。
【００２１】
トリガー・フレーム５６は、その左および右スロットがおのおのウエブ構造体６０に近接するように、左および右フランジ構造体６２、６４に形成される左および右スロット６８、７０を含む。同様に、トリガー・フレーム５６は、フランジ構造体６２、６４の間を延び、それに接続されるギア・ピン７２を含む。ギア・ピン７２とフランジ構造体６２、６４の間のこの接続は、フランジ構造体に対するギア・ピンの相対的回転をもたらすことができる。トリガー・フレーム５６は、フランジ構造体６２、６４の下側縁部に半円形の左および右凹部７４、７６を有する。トリガー・フレーム５６は、フランジ構造体６２、６４の間を延びかつそれに接続される案内ピン７８を含む。この案内ピン７８は、図７および８に示すように、ウエブ構造体６０の後方にある。
【００２２】
トリガー・リンク機構５４は、細長い本体８２および本体の後方端部と一体の拡大されたヘッド８４を有するプッシュ・ロッド８０を含む。ヘッド８４は、レバー３８、３９間に支持され、プッシュ・ロッド・ピン８６によってそれに枢動可能に接続される。プッシュ・ロッド・ピン８６は、レバー３８、３９の近位置４６間を延び、それに接続される。プッシュ・ロッド・ピン８６は、レバー３８、３９に対するプッシュ・ロッド８０の上向きおよび下向きの枢動を可能にするように、ヘッド８４を貫通して延びる。左および右Ｅクリップ８７、８８が、それぞれのＥクリップが対応するレバー３８、３９の左および右にあるように、プッシュ・ロッド・ピン８６の対応する端部に固定される。Ｅクリップ８７、８８は、プッシュ・ロッド・ピン８６のレバー３８、３９およびヘッド８４に対する横方向変位を抑制する。
【００２３】
プッシュ・ロッド８０の本体８２は、ヘッド８４から前に向かってフランジ構造体６２、６４の間をトリガー・フレーム５６の内部の中に延びる。本体８２は、図２および７に示すように、その長手部分を貫通して延びるスロット８９を有する。このスロット８９は、本体８２の前方端部９０の後方に、かつ前方端部に隣接して配置される。本体８２は、案内ピン７８がスロット８９を貫通して延びるように、フランジ構造体６２、６４に対して向きを合わせられている。スロット８９を貫通する案内ピン７８の延長部は本体８２に対する垂直支持をもたらし、レバー３８、３９に対するプッシュ・ロッド・ピン８６周りのその上向きおよび下向きの相対的枢動を制限する。案内ピン７８の直径およびスロット８９の横方向の寸法は、スロット内の案内ピンの長手方向位置が変化できるように、案内ピンとスロットの間の垂直方向クリアランスを形成する。トリガー・フレーム５６がトリガー・ピン５８周りを前方方向に十分に枢動されるとき、案内ピン７８はスロット８９の前方端部と係合する。この結果、トリガー・フレーム５６の前方方向への枢動は、案内ピン７８のスロット８９の前方端部との係合によって制限される。
【００２４】
プッシュ・ロッド８０の本体８２の前方端部９０は、減少する断面領域を有し、ウエブ構造体６０の開口部６５を貫通して延びる。これによって、プッシュ・ロッド８０のウエブ構造体６０に対する長手方向変位を可能にし、それがトリガー・フレーム５６の、工具ハンドル２４に対するトリガー・ピン５８周りの前方および後方方向の枢動を可能にする。プッシュ・ロッド８０は、前方に面し本体８２と前方端部８０の間の交点に配置される移動表面９６を有する。
【００２５】
トリガー・リンク機構５４は、図２および７に示すように、プッシュ・ロッド８０上にそれと同軸の関係で支持される螺旋駆動ばね９８を含む。駆動ばね９８の後方端部は、プッシュ・ロッド８０のヘッド８４に当接する。駆動ばね９８の前方端部は、トリガー・フレーム５６の案内ピン７８に当接する。この結果、トリガー・フレーム５６の後方への枢動が駆動ばね９８を圧縮し、それがプッシュ・ロッド８０のヘッド８４に後方への力を付与する。これが、プッシュ・ロッド・ピン８６に後方への力を付与し、それがレバー３８、３９を後方方向にレバー・ピン４０周りを枢動させるように付勢する。圧縮されるときこの駆動ばね９８は、案内ピン７８に対して前向きの力を付与し、それが、トリガー・フレーム５６に加えられる十分大きな反力がないとき、トリガー・フレームの対応する前向きの枢動を生じさせるように前方方向に案内ピンを付勢する。
【００２６】
トリガー・リンク機構５４は、図２、７、および１１に示すように、トリガー・フレーム５６内に支持される移動構造体１００を含む。この移動構造体１００は、横部材１０２およびそれに従属する戻り止め構造体１０３を含む。移動構造体１００は、横部材に一体化した関係で横部材１０２から後方方向に延びる３つの位置決め突起部１０４を含む。この位置決め突起部１０４は、戻り止め構造体１０３の横方向左に配置される。同様に、この位置決め突起部１０４は、中央突起部、およびこの中央突起部の左および右にそれぞれ配置される左および右突起部を画成するように、互いに対して横方向に配置される。位置決め突起部１０４の左および右突起部おのおのは、それぞれのその寸法が同じである長手方向寸法を有し、中央突起部は左および右突起部の長手方向寸法より長い長手方向寸法を有する。
【００２７】
戻り止め構造体１０３は、横部材１０２の端部間で横方向にオフセットしている。移動構造体１００は、横部材１０２の左および右端部にそれぞれ固定される左および右ノブ１０５、１０６を含む。横部材１０２は、左および右ノブ１０５、１０６がそれぞれ左および右フランジ構造体６２、６４の左および右にあるように、左および右スロット６８、７０を貫通して延びる。
【００２８】
横部材１０２の長さは、トリガー・フレーム５６に対する移動構造体１００の横方向変位を可能にするように、左および右フランジ構造体６２、６４の外側表面間の横方向寸法より大きい。この横方向変位は、ノブ１０５、１０６と左および右フランジ構造体６２、６４の外側表面との間の係合によって制限される。この制限は、結果として横部材１０２の軸からオフセットしているノブ１０５、１０６、およびノブの断面積がスロット６８、７０の面積より大きいことから生じる。この結果、移動構造体１００のトリガー・フレーム５６に対する右への変位は、左ノブ１０５の左フランジ構造体６２の外側表面との係合によって制限される。移動構造体１００のトリガー・フレーム５６に対する左への変位は、右ノブ１０６の右フランジ構造体６４の外側表面との係合によって制限される。
【００２９】
戻り止め構造体１０３の横方向オフセットは、戻り止め構造体が右ノブ１０６と比較して左ノブ１０５により近くなることを可能にする。さらに、戻り止め構造体１０３と左ノブ１０５の間の寸法は、左ノブ１０５が左フランジ構造体の外側表面と面一の接触にあるとき、戻り止め構造体が左および右フランジ構造体６２、６４の間の中間点にあることを可能にする。
【００３０】
戻り止め構造体１０３をプッシュ・ロッド８０の本体８２の左に位置決めすることは、結果として戻り止め構造体がプッシュ・ロッド８０に対するトリガー・フレーム５６の後方への移動を妨げないことになり、この結果移動構造体１００の係脱される位置１０７を画成する。この係脱される位置１０７は、右ノブを右フランジ構造体６４の外側表面との面一の接触に至らせるように、右ノブをトリガー・フレーム５６に対して横方向左に変位させることによって得られる。戻り止め構造体１０３の本体８２の左へのこの変位は、戻り止め構造体が本体の左にあるように戻り止め構造体と本体８２の間の横方向クリアランスを形成するのに十分である。この横方向クリアランスは、結果として戻り止め構造体１０３と右ノブ１０６の間の寸法から生じ、戻り止め構造体１０３がプッシュ・ロッド８０に対するトリガー・フレーム５６の後方への移動を妨げないために十分である。
【００３１】
戻り止め構造体１０３を左および右フランジ構造体６２、６４の間の中間点に位置決めすることは、戻り止め構造体がプッシュ・ロッド７０の移動表面９６と係合することをもたらす。戻り止め構造体１０３と移動表面９６の間の係合は、結果としてトリガー・フレーム５６の後方への枢動がプッシュ・ロッド８０の対応する後方への移動を生じさせることになる。この係合は、同様に結果としてプッシュ・ロッド８０の前方への移動がトリガー・フレーム５６の対応する前方への枢動を生じさせることになる。この結果、戻り止め構造体１０３を左および右フランジ構造体６２、６４の間の中間点に位置決めすることは、移動構造体１００の係合位置１０８を画成する。この係合位置１０８は、左ノブを左フランジ構造体６２の外側表面と面一に接触させるように、左ノブ１０５をトリガー・フレーム５６に対して右に横方向に変位させることによって得られる。左ノブ１０５の左フランジ構造体６２との接触は、結果として、左ノブと戻り止め構造体の間の寸法設定の結果として、戻り止め構造体１０３が左フランジ構造体と右フランジ構造体６４の間の中間点にあることになる。
【００３２】
トリガー・リンク機構５４は、左および右レバー３８、３９の遠位置間４８を延び、それに接続されるギア・ホイール１１４を含む。ギア・ホイール１１４とレバー３８、３９の間の接続は、それに対するギア・ホイールの回転をもたらすことができる。ギア・ホイール１１４は、トリガー・フレーム５６が後方方向に枢動するときギア・ピン７２によって係合されることができる。そのような係合に続き、トリガー・フレーム５６の継続する後方への枢動は、結果として左および右レバー３８、３９の後方方向への、後方への枢動になる。ギア・ピン７２およびギア・ホイール１１４の１つまたは両方が、互いに接触するギア・ピンおよびホイールの表面間の考え得る摺動摩擦を減少させるために、トリガー・フレーム５６およびレバー３８、３９に対して、それぞれに回転することができるのが好ましい。
【００３３】
トリガー・リンク機構５４は、中立点から張力付加位置４２、４４への右レバーの枢動に抵抗するために、右レバー３９およびグリップ構造体２８の内側表面に接続されるレバー復帰ばね１１５を含む。右レバー３９の枢動に対するこの抵抗は、ギア・ホイール１１４およびプッシュ・ロッド・ピン８６によってもたらされる左と右レバー間の横方向接続の結果として、左レバー３８の中立点から張力付加位置４２、４４への枢動に対して対応する抵抗をもたらす。
【００３４】
トリガー・リンク機構５４は、それに従属した関係でのＵ字形の後方区画１１７および細長い前方区画１１８を有するトリガー・ハウジング１１６を含む。このトリガー・ハウジング１１６はワンピースの単一構造体であり、後方区画１１７は前方区画１１８と一体である。後方区画１１７の上側部分は工具ハンドル２４内に支持され、それにトリガー・ピン５８によって枢動的に接続される。前方区画１１８は、工具ハンドル２４が使用者によって握られるとき、使用者の手の指によって握られる外側表面１１９を有する。使用者によるトリガー・ハウジング１１６の握りは、十分に力強い場合は、結果としてトリガー・ハウジング１１６のトリガー・ピン５８周りの、その開位置から閉位置への後方方向への枢動になる。
【００３５】
トリガー・ハウジング１１６の前方方向での枢動は、前方区画１１８の上側縁部１２０のバレル構造体２６の下側表面との係合により制限され、それが図７、９、１１、および１３に示すトリガー・ハウジングの休止位置を画成する。トリガー・ハウジング１１６の前方方向での休止位置を越える枢動は、レバー３８、３９の上端部と工具ヘッド３５の後端部の間の係合などの、ケーブル結束工具の他の構成部品間の係合によって制限することができる。
【００３６】
トリガー・ハウジング１１６の後方区画１１７は、その下側端部に切欠部１２１を有する。この切欠部１２１は、Ｕ字形をした横方向断面を有する。切欠部１２１は、後方区画１１７の前方および後方縁部１２２、１２３によって、その前方および後方に接している。やはりトリガー・ピン５８によって工具ハンドル２４に枢動的に接続されるトリガー・フレーム５６は、トリガー・ハウジング１１６の後方区画１１７内で支持される。
【００３７】
トリガー・リンク機構５４は、手寸法調整機構１２５を含み、それを介してトリガー・ハウジング１１６がトリガー・フレーム５６に連結される。この調整機構１２５は、細長い本体１２８と本体の前方端部と一体である拡大されたヘッド１３０を有する調整ロッド１２６を含む。この調整ロッド１２６は、ヘッド１３０の下側表面からヘッドと一体の関係でそのおのおのが横方向に延びる左停止ピン１３２および右停止ピンを有する。ヘッド１３０は、左と右フランジ構造体６２、６４の間で支持され、調整ピン１３４によってそれに枢動的に接続される。本体１２８をトリガー・フレーム５６に対して上側方向に十分枢動させることによって、結果として左停止ピン１３２および右停止ピンおのおのが左および右凹部７４、７６に引っかかるようになり、この結果それが、調整ロッド１２６のそのような上側枢動の程度を制限する。
【００３８】
調整ロッド１２６の本体１２８は、外側にねじ切りされている。この調整機構１２５は、外側にねじ切りされた本体１２８上に調整ホイール１３６をねじ込むために内側にねじ切りされたホイールを含む。このホイール１３６と本体１２８の間のねじ切りされた係合は、結果として本体１２８に対するホイールの回転となり、結果として本体に対するホイールの長手方向の移動となる。調整ホイール１３６は使用者によるホイールの握りを容易にするために粗くされた、または凸凹の外側表面を有する。
【００３９】
トリガー・ハウジング１１６は、調整機構の位置が後方区画１１７内になるように調整機構１２５に対して相対的に配置される。この配置によってさらに、ホイールを回転させるために使用者の手の指または親指によってそのホイールを握るために、切欠き部を通り調整ホイール１３６に、より具体的にはホイールの外側表面の底部および側部にアクセス可能になる。
【００４０】
この調整ホイール１３６は、下側に向かって切欠き部１２１内に延びるのに十分大きな外側直径を有する。この結果、調整ロッド１２６の本体１２８に対するホイール１３６の前方および後方への移動は、結果としてホイールの後部区画１１７のそれぞれの前面および後面縁部１２２、１２３との係合になる。そのような係合は、トリガー・フレーム５６に対するトリガー・ハウジング１１６の対応する前方または後方への枢動を生じさせる。
【００４１】
トリガー・リンク機構５４は、移動構造体１００を係脱または係合位置１０７、１０８に維持するための細長い位置表示ばね１３８を含む。この位置表示ばね１３８は、左と右フランジ構造体６２、６４の間で、かつウエブ構造体６０の後ろ側に配置される。位置表示ばね１３８の上端部は、左側方向に延びる上側フック１４０の形を成している。位置表示ばね１３８の下端部は、前方方向に延びる下側フック１４２の形を成している。位置表示ばねが調整ロッドのヘッドおよび左フランジ構造体によって支持されるように、上側フック１４０は左フランジ構造体６２の上側縁部をオーバーハングし、下側フック１４２は調整ロッド１２６のヘッド１３０の下側表面の周りを延びる。位置表示ばね１３８は、上側と下側フック１４０、１４２の間に中間部分１４４を有する。
【００４２】
位置表示ばね１３８は、移動構造体が横方向に係脱位置１０７に配置されるとき、この中間部分１４４が位置表示突起部１０４の左と中央の突起部の間を延びるように、移動構造体１００に対して横方向に配置される。中間部分１４４を位置表示突起部１０４の左と中央の突起部間に配置することは、横部材１０２の横方向移動に対する抵抗力を提供することによって、移動構造体１００を係脱位置１０７に維持する。移動構造体１００に対する位置表示ばね１３８の横方向位置はさらに、移動構造体が係合位置１０８に横方向に配置されるとき、中間部分１４４が位置表示突起部１０４の中央と右突起部間を延びることを可能にする。中間部分１４４を位置表示突起部１０４の中央と右の突起部間に配置することは、横部材１０２の横方向移動に対する抵抗力を提供することによって、移動構造体１００を係合位置１０８に維持する。位置表示突起部１０４の中央突起部の増大する長手方向寸法は、移動構造体１００の係脱と係合位置１０７、１０８間の横方向移動に対するさらなる抵抗力を提供する。
【００４３】
動作の際は、この手寸法調整機構１２５は、ケーブル結束工具２０の使用者の手寸法に適合するように、トリガー・ハウジング１１６の前方表面とグリップ構造体２８の後方表面との間の前方方向での距離間隔を調整するために操作される。これは調整ロッド１２６の本体１２８に対し調整ホイールの前方または後方への移動を生じさせるように、調整ホイール１３６を回転させることによって行われる。本体１２８に対するホイール１３６の前方に向かう移動は、後部区画１１７の前面縁部１２２とのホイールの係合を生じさせる。ホイール１３６を引き続き前方に移動させると、結果として後部区画１１７の対応する前方への枢動となり、この結果、トリガー・フレーム５６に対するトリガー・ハウジング１１６の前方への枢動となる。この前方への枢動は、トリガー・ハウジング１１６とグリップ構造体２８の後部表面との間の前方方向への距離間隔を増加させる。増大する距離間隔をもたらすように操作された調整機構１２５の例を図７、８、１１および１２に示す。トリガー・ハウジング１１６とグリップ構造体２８の間の距離間隔を増大させることは、ケーブル結束工具２０の使用者の手寸法が比較的大きいとき通常望ましい。
【００４４】
ケーブル結束工具２０の使用者の手寸法が比較的小さいときは、手寸法調整機構１２５は、ホイール３６を本体１２８に対して後方方向に移動させるように操作される。この結果、ホイール１３６は後部区画１１７の後方縁部１２３と係合する。引き続きホイール１３６を後方に向かって移動させると、結果として後部区画１１７の対応する後方への枢動となり、この結果、トリガー・フレーム５６に対するトリガー・ハウジング１１６の後方への枢動となる。この後方への枢動は、トリガー・ハウジング１１６の前表面とグリップ構造体２８の後表面の間の後方方向への距離間隔を減少させる。減少する距離間隔をもたらすように操作された調整機構１２５の例を図９、１０、１３および１４に示す。トリガー・ハウジング１１６とグリップ構造体２８の間の距離間隔を減少させることは、ケーブル結束工具２０の使用者の手寸法が比較的小さいとき通常望ましい。
【００４５】
トリガー・リンク機構５４は、移動構造体１００を係脱または係合位置１０７、１０８それぞれに配置することによって、自動ギア動作または固定ギア動作の間を移動させることができる。より具体的には、このトリガー・リンク機構５４は、移動構造体１００の右ノブ１０６を横方向左側に押し右フランジ構造体６４の外側表面と当接させることによって得られる係脱位置１０７に移動構造体１００を移動させることによって自動ギア動作に移動させられる。右ノブ１０６は、位置表示突起部１０４の対応する横方向移動に対する位置表示ばね１３８の抵抗力に打ち勝つのに十分な力で押される。右フランジ構造体６４と当接する右ノブ１０６の移動は、結果として戻り止め構造体１０３とプッシュ・ロッド８０の本体８２との間に横方向クリアランスを生じさせるに十分な、戻り止め構造体１０３の横方向左への対応する変位になる。移動構造体１００が係脱位置１０７にあるとき、この戻り止め構造体１０３は、プッシュ・ロッド８０に対するトリガー・フレーム１０６の後方への移動を妨害しない。移動構造体１００が係脱位置１０７にある、そしてこの結果、トリガー・リンク機構５４が自動ギア動作用に設定されている例を図７、８、９、および１０に示す。
【００４６】
使用者は、グリップ構造体２８の外側表面３０が使用者の手の掌によって握られ、手の指がトリガー・ハウジング１１６の前方区画１１８の外側表面１１９の周りを包むようにケーブル結束工具２０を握る。次いで手は、トリガー・ハウジング１１６をその開位置から閉位置に枢動させるように、トリガー・ハウジング１１６を後方方向にグリップ構造体２８に向かって強制的に閉じる。この結果、トリガー・ハウジング１１６は後方方向に向かって枢動し、それが後部区画１１７の前面縁部１２２が調整ホイール１３６を後方方向に駆動するようにさせる。これが、ホイール１３６が調整ロッド１２６を後方方向に引くようにさせ、それが結果としてトリガー・フレーム５６の後方方向への枢動を生じさせる。
【００４７】
トリガー・フレーム５６の後方方向への枢動は案内ピン７８の後方方向への駆動を生じさせ、それが結果として案内ピンのプッシュ・ロッド８０内のスロット８９を通る移動および駆動ばね９８の前端部の後方方向への変位となる。これが結果として駆動ばね９８の圧縮、駆動ばね９８の後端部の後方方向への移動、またはその両方となる。駆動ばね９８の後端部の後方への移動は、プッシュ・ロッド８０のヘッド８４の対応する後方への変位を生じさせる。ヘッド８４の後方への変位は、結果として左および右レバー３８、３９の後方方向への、中立から張力付加位置４２、４４への枢動となる。この結果、トリガー・フレーム５６とレバー３８、３９の間の連結が近位置４６を介してもたらされる。同様に、左および右レバー３８、３９の後方方向への枢動は、結果としてレバー復帰ばね１１５の圧縮を生じる。
【００４８】
工具ヘッド３５とのレバーの連結の結果としての、レバー３８、３９の後方への枢動は、それらに固定されたケーブル結束材２２の張力の増加を生じさせる。さらに、駆動ばね９８の圧縮が十分に制限されるとき、レバー３８、３９の後方への枢動は、結果としてギア・ピン７２に対するギア・ホイール１１４の後方への変位となり、ギア・ピンからのギア・ホイールの後方への距離間隔を生じさせる。
【００４９】
通常は、ケーブル結束材２２の張力が増加すると、さらなるその張力の増大はケーブル結束材によって抵抗される。この抵抗はトリガー・リンク機構５４を介してトリガー・ハウジング１１６に伝えられ、それが結果としてトリガー・ハウジングを後方方向へ引き続き枢動させるために使用者の指によって前方区画１１８の外側表面１１９に加えるべき、ますますより大きな力が必要とされるようになる。トリガー・ハウジング１１６にますますより大きな力を加えることは、案内ピン７８とプッシュ・ロッド８０のヘッド８４の間の駆動ばね９８をさらに圧縮する。
【００５０】
駆動ばね９８の圧縮は、結果としてギア・ホイール１１４とギア・ピン７２の間の距離間隔を減少させることになる。駆動ばね９８の圧縮が十分であるとき、トリガー・フレーム５６が駆動ばね９８およびプッシュ・ロッド・ピン８６を介してではなく、ギア・ピン７２およびギア・ホイールを介してレバー３８、３９の後方への枢動を駆動するようにギア・ピン７２がギア・ホイール１１４と接触し、それがギア・ピンとホイールの間の係合の前に連結をもたらす。この結果、トリガー・フレーム５６とレバー３８、３９との間の連結が遠位置４８を介してもたらされる。
【００５１】
近位置４６から遠位置４８への連結部の移動は、結果としてトリガー・ハウジングを開位置から閉位置に後方方向に枢動させるようにトリガー・ハウジング１１６に加えられる一定の力に対してレバー３８、３９の後方への枢動によって工具ヘッド３５に加えられる力の増大になる。工具ヘッド３５に加えられる力の増大は、結果としてプッシュ・ロッド・ピン８６とレバー・ピンの間の減少する距離間隔５０と比較して、ギア・ホイール１１４とレバー・ピン４０の間の増大する距離間隔５２から生じる。ギア・ピン７２のギア・ホイール１１４との係合の後でトリガー・ハウジング１１６を後方方向に枢動させることは、結果として増大する力が工具ヘッド３５に加えられことになり、この結果、ケーブル結束材２２の増大する張力となる。
【００５２】
ケーブル結束材２２の張力が十分に増大するとき、グリップ構造体２８とトリガー・ハウジング１１６を握る使用者の手は緩められる。これが結果としてレバー復帰ばね１１５を拡張させ、それが左および右レバー３８、３９を前方方向に強制的に枢動させる。さらに駆動ばね９８が拡張し、それがプッシュ・ロッド８０に対して前方方向に案内ピン７８を強制的に変位させる。この結果、案内ピン７８はトリガー・フレーム５６を前方方向に枢動させ、それがトリガー・ハウジング１１６を前方方向に枢動させる。使用者の手が十分に緩められている場合は、トリガー・ハウジング１１６は、図７および９に示すように、レバー３８、３９が中立位置４２に戻り、トリガー・ハウジング１１６がその休止位置に戻るように、十分に前方方向に枢動可能であることができる。
【００５３】
レバー復帰ばね１１５がレバー３８、３９を前方方向に中立位置４２に枢動させることができるように、かつ駆動ばね９８がトリガー・ハウジング１１６がその休止位置に戻るようにトリガー・フレーム５６を前方方向に枢動させることができるように、トリガー・ハウジング１１６を完全に解放することによって、トリガー・リンク機構５４は自動ギア動作から固定ギア動作に移動させられる。移動構造体１００が係脱位置１０７にあることに伴い、この前方枢動は結果として、移動表面９６がわずかな寸法だけ戻り止め構造体１０３の後部の方にあるように、プッシュ・ロッド７０の本体８２の前方方向への対応する変位となる。本体８２が戻り止め構造体１０３に対してこの位置で保持されることに伴い、移動構造体１００の左ノブ１０５は横方向右に変位し左フランジ構造体６２の外側表面と当接する。この左ノブ１０５は、位置表示突起部１０４の対応する横方向移動に対する位置表示ばね１３８の抵抗力に打ち勝つ十分な力によって変位される。左フランジ構造体６２と当接する左ノブ１０５の移動は、結果として戻り止め構造体が係合位置１０８にある移動表面９６の前面に直接向かい合うように、左および右フランジ構造体６２、６４の間の中間位置に横方向右への戻り止め構造体１０３の対応する変位となる。この移動構造体１００が係合位置１０８にあるとき、戻り止め構造体１０３はトリガー・フレーム５６のプッシュ・ロッド８０に対する後方方向の移動を妨害する。係合位置１０８にある移動構造体１００、および、この結果固定ギア動作用に設定されたトリガー・リンク機構５４の例を図１１、１２、１３、および１４に示す。
【００５４】
使用者は、グリップ構造体２８の外側表面３０が使用者の手の掌によって握られ、手の指がトリガー・ハウジング１１６の前方区画１１８の外側表面１１９の周りを包むようにケーブル結束工具２０を握る。次いでこの手を、トリガー・ハウジングをその開位置から閉位置に枢動させるように、トリガー・ハウジング１１６を後方方向にグリップ構造体２８に向かって引くように強制的に閉じる。この結果、トリガー・ハウジング１１６は後方方向に枢動し、それが後方区画１１７の前面縁部１２２に調整ホイール１３６を後方方向に駆動させる。これがホイール１３６に調整ロッド１２６を後方方向に引っぱらせ、それが結果としてトリガー・フレーム５６の後方方向への枢動になる。
【００５５】
トリガー・フレーム５６の後方方向への枢動は、戻り止め構造体１０３がプッシュ・ロッド８０の移動表面９６に接触するように、ウエブ構造体６０に移動構造体１００を後方方向に駆動するようにさせる。トリガー・フレーム５６の後方方向への引き続く枢動は、戻り止め構造体１０３にプッシュ・ロッド８０の本体８２を後方方向に強制的に移動するようにさせる。プッシュ・ロッド８０のこの移動は、プッシュ・ロッド・ピン８６を介して左および右レバー３８、３９に伝えられ、それらを中立位置４２から張力付加位置４４へ後方方向に枢動させる。左および右レバー３８、３９の後方方向への枢動は、結果としてレバー復帰ばね１１５の圧縮を生じさせる。同様に、工具ヘッド３５とのレバーの連結の結果として、レバー３８、３９の後方枢動は、それらに固定されるケーブル結束材２２の張力の増加を生じさせる。
【００５６】
トリガー・フレーム５６とレバー３８、３９の間の連結は、トリガー・フレームの全枢動の初めから終わりまでプッシュ・ロッド８０およびプッシュ・ロッド・ピン８６によって行われる。この結果、トリガー・フレーム５６とレバー３８、３９の間の連結は、自動ギア動作と対照的に、近位置４６を介して行われ遠位置４８に移動しない。結果として、レバー３８、３９の後方枢動によって工具ヘッド３５に加えられる力は、トリガー・ハウジング１１６の開位置から閉位置への後方方向への全枢動に対して、遠位置４８を介した連結から生じる。固定ギア動作での連結は、やはり自動ギア動作と対照的に、駆動ばね９８を使用しない。
【００５７】
ケーブル結束材２２の張力が十分に増加すると、グリップ構造体２８およびトリガー・ハウジング１１６を握る使用者の手は緩められる。これは、結果としてレバー復帰ばね１１５を拡張させ、それが左および右レバー３８、３９を前方方向に強制的に枢動させ、プッシュ・ロッド・ピン８６を前方方向に駆動する。プッシュ・ロッド・ピン８６の前方移動は、プッシュ・ロッド８０および戻り止め構造体１０３を前方方向に駆動し、それがウエブ構造体６０を前方方向に駆動する。この結果、トリガー・フレーム５６は前方方向に枢動し、それがトリガー・ハウジング１１６を前方方向に枢動させる。使用者の手が十分に緩んでいる場合、図１１および１３に示すように、レバー３８、３９が中立位置４２に戻り、トリガー・ハウジング１１６がその休止位置に戻るように、トリガー・ハウジング１１６は十分に前方方向に枢動できることが可能になる。
【００５８】
本発明をいくつかの好ましい実施形態を参照することによって説明してきたが、この説明した発明概念の趣旨および範囲内で多くの変更を行うことができることを理解すべきである。したがって、本発明は開示された実施形態に限定されず、特許請求の範囲の言葉によって許される全範囲を有するものとする。
【図面の簡単な説明】
【００５９】
【図１】本発明の可変トリガー・リンク機構を含むケーブル結束工具の右側斜視図である。
【図２】可変トリガー・リンク機構を示すために、工具ヘッドおよび工具ハンドルの左側区画が取り除かれた、図１のケーブル結束工具の分解図である。
【図３】図２のトリガー・フレームの左側斜視図である。
【図４】図３のトリガー・フレームの左側立面図である。
【図５】図３のトリガー・フレームの前面立面図である。
【図６】図３に示す形態に曲げる前の平面的な形態にあるトリガー・フレームを示す、図５に対応する前面立面図である。
【図７】取り除かれた工具ハンドルの左側区画、開位置で示されかつ係合された自動ギアを有する可変トリガー・リンク機構、大きな手に対して示す可変トリガー・リンク機構の手寸法調整器を示す、図１のケーブル結束工具の側面立面図である。
【図８】閉位置にある可変トリガー・リンク機構を示す、図７に対応する側面立面図である。
【図９】取り除かれた工具ハンドルの左側区画、開位置で示されかつ係合された自動ギアを有する可変トリガー・リンク機構、小さな手に対して示す可変トリガー・リンク機構の手寸法調整器を示す、図１のケーブル結束工具の側面立面図である。
【図１０】閉位置にある可変トリガー・リンク機構を示す、図９に対応する側面立面図である。
【図１１】取り除かれた工具ハンドルの左側区画、開位置で示されかつ係合された固定ギアを有する可変トリガー・リンク機構、大きな手に対して示す可変トリガー・リンク機構の手寸法調整器を示す、図１のケーブル結束工具の側面立面図である。
【図１２】閉位置にある可変トリガー・リンク機構を示す、図１１に対応する側面立面図である。
【図１３】取り除かれた工具ハンドルの左側区画、開位置で示されかつ係合された固定ギアを有する可変トリガー・リンク機構、小さな手に対して示す可変トリガー・リンク機構の手寸法調整器を示す、図１のケーブル結束工具の側面立面図である。
【図１４】閉位置にある可変トリガー・リンク機構を示す、図１３に対応する側面立面図である。
【図１】
2007529321.tif 000003
【図２】
2007529321.tif 000004
【図３】
2007529321.tif 000005
【図４】
2007529321.tif 000006
【図５】
2007529321.tif 000007
【図６】
2007529321.tif 000008
【図７】
2007529321.tif 000009
【図８】
2007529321.tif 000010
【図９】
2007529321.tif 000011
【図１０】
2007529321.tif 000012
【図１１】
2007529321.tif 000013
【図１２】
2007529321.tif 000014
【図１３】
2007529321.tif 000015
【図１４】
2007529321.tif 000016
【国際調査報告】
2007529321.tif 000017
2007529321.tif 000018